(57)【要約】【課題】  小径側竿体と大径側竿体とに簡単な工夫を施すことによって、上記したような固着現象が起こった場合にも善処することができる振出式の釣り竿を提供する。【解決手段】  一番竿１、二番竿２、及び、元竿４を備え、一番竿１を二番竿２より引き出した伸長状態における、一番竿１の竿先端から二番竿２の竿元端までの長さＬ１を、元竿４内に収納可能な長さに構成してある。【選択図】        図１
2009131182.tif 000002
【特許請求の範囲】
【請求項１】
小径側竿体を大径側竿体より引き出した伸長状態における、前記小径側竿体の竿先端から前記大径側竿体の竿元端までの長さを、元竿内に収納可能な長さに構成してある振出式の釣り竿。
【請求項２】
一番竿、二番竿、及び、元竿を備えた振出式の釣り竿であって、前記一番竿を二番竿より引き出した伸長状態における、前記一番竿の竿先端から前記二番竿の竿元端までの長さを、元竿内に収納可能な長さに構成してある振出式の釣り竿。
【発明の詳細な説明】
【技術分野】
【０００１】
本発明は、一番竿、二番竿、及び、元竿を備えた振出式の釣り竿に関する。
【背景技術】
【０００２】
振出式の釣り竿においては、釣を終えて納竿する場合には、一番竿から元上までの小径側竿体を大径側竿体としての元竿内に収納して、釣り竿用のバック等に納める構成を採っている。したがって、一番竿から元上までの各竿体は略同一の長さで、元竿内に収納される長さに設定されている（例えば、特許文献１）。
【特許文献１】特開２００５−２６１３３６号公報（段落〔００２７〕，図１）
【発明の開示】
【発明が解決しようとする課題】
【０００３】
一般に、振出式の釣り竿においては、例えば、一番竿から元上までの小径側に属する竿体を、大径側に属する元竿より引き出した伸長状態に設定して釣りを行うとともに、釣りを終えて納竿する際に、一番竿は二番竿内に、二番竿は三番竿内に収納するように、一番竿から元上までの小径側竿体を元竿内に収納する操作を必要とする。
【０００４】
この場合に、小径側の竿体を大径側の竿体に対して引出操作した場合には、小径側竿体の元側端部の外周面が大径側竿体の先側端部の内周面に圧接して、容易には小径側竿体を大径側竿体内に収納戻し操作することに困難を伴うことがある。これは、小径側竿体を強く引出し操作することによって、小径側竿体の元側端部の外周面が大径側竿体の先側端部の内周面を、弾性的に押し広げる状態で圧接することとなるので、小径側竿体と大径側竿体とが強く連結された固着状態になっているからである。
そうすると、小径側竿体を大径側竿体内に収納することが困難な場合があり、竿径が細い一番竿の場合に、上記した固着状態になった場合に、無理に二番竿内に押し込もうとすると、一番竿が折損等する場合も考えられ、何らかの対策を必要としていた。
【０００５】
本発明の目的は、小径側竿体と大径側竿体とに簡単な工夫を施すことによって、上記したような固着現象が起こった場合にも善処することができる振出式の釣り竿を提供する点にある。
【課題を解決するための手段】
【０００６】
〔構成〕。
請求項１における発明の特徴構成は、小径側竿体を大径側竿体より引き出した伸長状態における、前記小径側竿体の竿先端から前記大径側竿体の竿元端までの長さを、元竿内に収納可能な長さに構成してある点にあり、その作用効果は次の通りである。
【０００７】
〔作用〕
小径側竿体を大径側竿体より引き出した伸長状態における、前記小径側竿体の竿先端から前記大径側竿体の竿元端までの長さを、元竿内に収納可能な長さに構成してあるので、小径側竿体が大径側竿体に対して固着した場合であっても、その固着状態を解除することなくその固着状態を維持した状態で小径側竿体と大径側竿体とを伸長状態を維持した状態で元竿内に収納することができる。
【０００８】
〔効果〕
したがって、釣場において帰り支度を急ぐ余り、無理に固着現象を呈している小径側竿体を大径側竿体内に収納する操作を行って小径側竿体を損傷するといったことを未然に防止でき、補修コスト面でも有利に展開できる振出式の釣り竿を提供できるに至った。
【０００９】
〔構成〕。
請求項２における発明の特徴構成は、前記一番竿を二番竿より引き出した伸長状態における、前記一番竿の竿先端から前記二番竿の竿元端までの長さを、元竿内に収納可能な長さに構成してある点にあり、その作用効果は次の通りである。
【００１０】
〔作用〕
前記一番竿の竿先端から前記二番竿の竿元端までの長さを、元竿内に収納可能な長さに構成してあるので、一番竿が二番竿に対して固着した場合であっても、その固着状態を解除することなくその固着状態を維持した状態で一番竿と二番竿を元竿内に収納することができる。
【００１１】
〔効果〕
したがって、伸長状態に切り換える場合には比較的容易に行えるが、収納する場合には、竿径が小さなものであるだけに、竿芯方向に沿って押し込むことが難しく力を入れすぎると折れ曲り易い一番竿を二番竿内に収納する操作を行って一番竿を損傷するといったことを未然に防止でき、補修コスト面でも有利に展開できる振出式の釣り竿を提供できるに至った。
【発明を実施するための最良の形態】
【００１２】
〔第1実施形態〕
本発明を振出式の釣り竿に適用する形態を示す。図１（イ）に示すように、鮎竿、渓流竿等に使用される釣り竿Ａは、釣り糸ａを係止するトップ部１Ａを備えた小径側竿体としての一番竿１、大径側竿体としての二番竿２、元上３等の中竿、手元握り部４Ａを有する元竿４を備えて構成してある。
【００１３】
釣り竿Ａは振出式に継がれるものであり、振出構造について一番竿１と二番竿２で説明すると、図２に示すように、一番竿１を二番竿２から引き出した状態では、一番竿１の元側外周面１Ｂが二番竿２の先側内周面２Ａに圧接することによって、一番竿１の二番竿２の竿先端からの抜け出しが阻止されている。
【００１４】
図示してはいないが、本実施形態で示す新たな一番竿１と二番竿２は、特許文献１で示した、一番竿から元上までが略同一長さに設定されていた場合の従来の一番竿を二分割した長さを持つものに構成されたものである。
また、新たな二番竿２は、特許文献１で示した、一番竿から元上までが略同一長さに設定されていた場合の従来の二番竿と同様の竿径を有するものに構成されている。
【００１５】
したがって、図１（ロ）に示すように、一番竿１を二番竿２より引き出した伸長状態における、一番竿１の竿先端から二番竿２の竿元端までの長さＬ１を、元竿４の竿先端から尻栓５までの長さＬ２より短い長さに構成してある。これによって、一番竿１と二番竿２とを収縮状態に切り換えることなく、元竿４内に収納することが可能になった。
【００１６】
また、従来の一番竿に相当する長さのものを、新たな一番竿１と新たな二番竿２とで構成することとしたので、新たな一番竿１と新たな二番竿２とを伸長状態に設定した場合に、新たな一番竿１の竿元端の外周面が新たな二番竿２の竿先端の内周面に圧接する状態となっている。そうすると、圧接する部分が二重構造になっているので、従来の一番竿に比べて強度の高いものとなっており、反発力の大きな一番竿を構成することができる。
【００１７】
〔第２実施形態〕
ここでは、元上３を元竿４内に収納した状態で保持可能な伸縮式構造を有する釣り竿Ａに、本願発明を適用する形態を説明する。図３に示すように、元竿４の竿元側の内部に元上３の竿元側端部３Ａの外周面を保持可能な保持ゴム６を内嵌装着するとともに、保持ゴム６の元側に尻栓５を螺着してある。尻栓５の竿先側で保持ゴム６の内部空間に、一番竿１等の小径側竿体を収納状態で受け止める座ゴム７を装備してあり、座ゴム７の更に竿先側に元上３の竿元側端部３Ａの外周面に圧接する内周面６Ａが設けてある。
【００１８】
上記のような構成によって、元上３を伸長状態より元竿４内に収納すると、元上３の竿元側端部３Ａが保持ゴム６の係合突起６Ａ内に入り込んで、元上３の竿元側端部３Ａの外周面が保持ゴム６の内周面６Ａに圧接して元上３が収縮状態に保持される。
【００１９】
上記した構成によって元上３は保持ゴム６によって元竿４内に収納されるが、他の中竿、及び、一番竿１も元上３の内部に収納されて、元竿４内に収まることとなる。この場合に、一番竿１と二番竿２とが伸長状態で元竿４内に収納された場合には、二番竿２の竿元端２ａが座ゴム７に接当する位置まで収納されている。
【００２０】
したがって、この場合には、元竿４においては、竿先端から座ゴム７の装着位置までの長さが一番竿１と二番竿２とを伸長状態に維持した状態での長さＬ１に比べて長いものでなければならない。この元竿４における竿先端から座ゴム７の装着位置までの長さがＬ２である。
【００２１】
〔他の実施例〕
（１）上記実施形態では、小径側竿体として一番竿１、大径側竿体として二番竿２が該当するものとして説明したが、小径側竿体として二番竿２を選定した場合には大径側竿体としては三番竿３が該当する。要するに、小径側竿体と大径側竿体とは、隣接する竿体同士の関係を総称したもので、たとえば、三番竿３については、四番竿に対しては小径側竿体であるが、二番竿２に対しては大径側竿体でもある。
（２）また、上記実施形態では、小径側竿体として一番竿１、大径側竿体として二番竿２が該当するものとして説明したが、小径側竿体としては一番竿１、二番竿２が該当するとし、大径側竿体として三番竿が該当するものとして、一番竿１から三番竿までの３本の竿体を伸長状態に設定した状態で元竿４内に収納する構成を採ってもよい。
【図面の簡単な説明】
【００２２】
【図１】（イ）振出式の釣り竿を示す全体側面図、（ロ）一番竿と二番竿とを伸長状態に維持したままで元竿内に収納した状態を示す側面図
【図２】一番竿を二番竿から引き出した伸長状態に設定した状態を示す縦断側面図
【図３】元上を元竿内に収納してその状態を保持する伸縮式の釣り竿において、一番竿と二番竿を伸長状態にして元竿内に収納した、その二番竿の竿尻端が座ゴムに当接している状態を示す縦断側面図
【符号の説明】
【００２３】
１              一番竿（小径側竿体）
２              二番竿（大径側竿体）
４              元竿
Ｌ１            一番竿の竿先端から二番竿の竿元端までの長さ
【図１】
2009131182.tif 000003
【図２】
2009131182.tif 000004
【図３】
2009131182.tif 000005